(57)【要約】【課題】  速やかなる吸排湿性を持ち、物が接触した際にも珪藻土が付着したり剥がれたりしない建築用仕上げボードとその製造方法の提供。【解決手段】  合板ボード又は石膏ボードからなる下地ボード１の表面に繊維シート２を貼着し、当該繊維シート２の表面に、当該繊維シート２の地柄が凹凸として浮き出る程度の厚さで、約２μｍ〜６μｍの珪藻土粉末を主成分とし水溶性接着剤を配合した粉末珪藻土層３を備えた建築用仕上げボード。【選択図】      図１
2005105660.tif 000002
【特許請求の範囲】
【請求項１】
合板ボード又は石膏ボードからなる下地ボード（１）の表面に繊維シート（２）を貼着し、当該繊維シート（２）の表面に、当該繊維シート（２）の地柄が凹凸として浮き出る程度の厚さで、約２μｍ〜６μｍの珪藻土粉末を主成分とし水溶性接着剤を配合した粉末珪藻土層（３）を備えた建築用仕上げボード。
【請求項２】
合板ボード又は石膏ボードからなる下地ボード（１）の表面に繊維シート（２）を貼着してホットプレスを施す下地工程と、当該繊維シート（２）の表面に、約２μｍ〜６μｍの珪藻土粉末を主成分とし水溶性接着剤を配合してなる粉末珪藻土パウダの吹き付けを、当該繊維シート（２）の地柄が凹凸として浮き出る程度の厚さとなる様に複数回行う表装工程と、乾燥工程を経る建築用仕上げボードの製造方法。
【発明の詳細な説明】
【技術分野】
【０００１】
本発明は、高い吸湿性を奏する建築用仕上げボードの構造と、その製造方法に関する。
【背景技術】
【０００２】
建築資材には、塗料、接着剤、防腐剤等として様々な化学物質が用いられている。そして、当該化学物質たるホルムアルデヒド、アセトアルデヒド、アセトン、トリクロロエチレン等、或いは多湿環境により発生するカビは、風通しの悪い高気密家屋における室内の空気を汚染し、アレルギーやアトピー性皮膚炎等の健康障害を引き起こすことから、今日、シックハウス（ビル）症候群と呼ばれ社会問題となっている。
【０００３】
エアコンの普及で高気密家屋が増加し、また、先に記した様な化学物質の使用が不可欠である実情においては、室内の湿度を適正な状態に保ち揮発性有機化合物やカビの発生を抑えることが肝要であることから、今日、珪藻土を表層として用いた仕上げ材（例えば、特許文献１）が提供されている。
【特許文献１】特開平１０−２４５２５５号公報
【発明の開示】
【発明が解決しようとする課題】
【０００４】
従来の仕上げ材は、揮発性有機溶剤等を発生させず、吸湿性を持ち、且つ珪藻土が十分に接着して、ひび割れや剥がれ等が発生するという問題もある程度解決してはいるものの、吸排湿のスピードが遅く、仕上げ材の表面に物が触れると、珪藻土の剥がれや接触物への付着が生じるという問題を残していた。
【０００５】
本発明は、上記実情に鑑みてなされたものであって、その課題とするところは、速やかなる吸排湿性を持ち、物が接触した際にも珪藻土が付着したり剥がれたりしない建築用仕上げボードとその製造方法の提供にある。
【課題を解決するための手段】
【０００６】
上記課題を解決する本発明による建築用仕上げボードは、合板ボード又は石膏ボードからなる下地ボードの表面に繊維シートを貼着し、当該繊維シートの表面に、当該繊維シートの地柄が凹凸として浮き出る程度の厚さで、約２μｍ〜６μｍの珪藻土粉末を主成分とし水溶性接着剤を配合した粉末珪藻土層を備えたことを特徴とする。
【０００７】
尚、前記繊維シートとしては、通気性を備えた布や紙等で良いが、天然繊維、化学繊維に関わらず、織布、不織布、和紙等の表面に凹凸のあるものが望ましい。また、吸水性の面だけでは木綿等の天然素材が比較的有利な場合が多いが、吸排湿性と裁断作業性の面では、化学繊維の方が比較的優れている場合があり、ポリエステルはその良い例である。
【０００８】
また、その製造方法は、合板ボード又は石膏ボードからなる下地ボードの表面に繊維シートを貼着してホットプレスを施す下地工程と、当該繊維シートの表面に、約２μｍ〜６μｍの珪藻土粉末を主成分とし水溶性接着剤を配合してなる粉末珪藻土パウダの吹き付けを、当該繊維シートの地柄が凹凸として浮き出る程度の厚さとなる様に複数回（一回でも可）行う表装工程と、乾燥工程を経ることを特徴とする。
【発明の効果】
【０００９】
合板ボード又は石膏ボードからなる下地ボードの表面に通気性の高い繊維シートを貼着し、当該繊維シートの表面に、当該繊維シートの地柄が凹凸として浮き出る程度の厚さで、約２μｍ〜６μｍの珪藻土粉末を主成分とし水溶性接着剤を配合した粉末珪藻土層を備えた構造によって、吸湿性のみならず排湿性をも確保し、湿気が出入りするスピードも高くすることが出来る。
【００１０】
また、前記珪藻土の粒径と粉末珪藻土層の厚さ設定により、物が接触した際にも珪藻土が付着したり剥がれたりせず、例えば、当該建築用仕上げボードを張った押入に布団を入れたとしても、当該布団に珪藻土粉末が付着することも少ない。
【発明を実施するための最良の形態】
【００１１】
以下、本発明による建築用仕上げボードとその製造方法の実施の形態を図面に基づき説明する。
図１に示す例は石膏ボードを下地ボード１とした例であり、図２に示す例は合板ボードを下地ボード１とした例である。
【００１２】
これらを製造する際には、先ず、前記下地ボード１の表面に小麦粉を添加した酢酸ビニル系エマルジョンを接着剤としてポリエステル繊維からなる不織布を繊維シート２として貼着し、約１２０℃（繊維シート２の素材等に応じて異なる。）でホットプレスを行う（下地工程）。
【００１３】
そして、当該繊維シート２上に、水、水溶性バインダ、及び約２μｍ〜６μｍの粒径とされた珪藻土を混ぜ合わせてなる粉末珪藻土パウダを全面に亘って２度から３度均一に吹き付け、そうして形成された粉末珪藻土層３の厚さが、その表面に前記繊維シート２の地柄が凹凸として浮き出る程度となるようにする（表装工程）。
【００１４】
最後に、ヒータによる乾燥、或いは自然乾燥により、前記粉末珪藻土層３を乾燥させ、所定の規格寸法に裁断することによって当該例による建築用仕上げボードが完成する。
【００１５】
これら一連の工程は、工場において行うことが出来ることから、生産性が高いことはもとより、建築現場においても、当該建築用仕上げボードを貼り付けるだけで、仕上げボードの張り付けと、珪藻土を含んだ表層の吹き付け塗装が同時に終了することとなり作業効率が向上する。これら、仕上げボードの生産性の高さによる製造コストの低減と、貼り付け作業性の向上による工数の削減、及び作業日程の改善によって、良質の建築物を安価で提供できることとなる。
【００１６】
こうして乾燥させられた粉末珪藻土層３は、広い表面積を持つ繊維シート２の各繊維間の空隙を維持しつつ、それら繊維の表面に均等に付着すると共に、珪藻土粒自身が備える細孔と相俟って極めて高い吸排湿性を奏し、速やかに吸収した湿気を、湿気の供給が無くなったとたんに速やかに排出する。而して、悪臭やカビやダニの発生を防止し、シックハウス症候群の原因となるホルムアルデヒドやアセトアルデヒド等の除去に寄与することとなる。尚、下地ボード１が石膏ボードであれば、防火性や耐火性に優れていることは言うまでもない。
【産業上の利用可能性】
【００１７】
上記建築用仕上げ材の製造方法によれば、石膏ボードや合板の下地ボードに止まらず、Ｆｅ、ＳＵＳ、Ａｌ、布、紙、樹脂等にも粉末珪藻土層を好適に設けることができ、それによって、前記実施の形態と同様の吸排湿性等の効果を得ることが出来るなど、様々な室内外の空間に適応させ得る。
【図面の簡単な説明】
【００１８】
【図１】本発明による建築用仕上げ材の一例を示す斜視図である。
【図２】本発明による建築用仕上げ材の一例を示す斜視図である。
【符号の説明】
【００１９】
１  下地ボード，
２  繊維シート，
３  粉末珪藻土層，
【図１】
2005105660.tif 000003
【図２】
2005105660.tif 000004